(57)【特許請求の範囲】
【請求項１】
電源コードを包み込むように一体形成し電源コードが屈曲可能な蛇腹部を有するコードブッシングを洗濯機本体の背面より突出させて電源コードを洗濯機本体に取り付けるように構成した洗濯機であって、前記電源コードの取付部の上方近傍に上下方向に貫通するリング部を有するコードガイドを設け、前記電源コードが前記コードガイドのリング部を下方から上方に向けて貫通するように構成するとともに、前記コースガイドは、前記リング部の後方側の下端部分を前記電源コードのコードブッシングの位置まで垂下することで前記電源コードの屈曲部分を後方より覆うように構成した洗濯機。
【請求項２】
コードガイドのリング部は、洗濯機本体に取り付ける取付部の近傍に切欠部を設け、前記切欠部に電源コードを通すことで、前記電源コードが前記リング部を下方から上方に向けて貫通するように構成した請求項１記載の洗濯機。
【請求項３】
コードガイドのリング部は、弾性的に変形可能とし、切欠部の一端が他端まで弾性変形するよう構成した請求項２記載の洗濯機。
【発明の詳細な説明】
【０００１】
【発明の属する技術分野】
本発明は、屈曲可能なコードブッシングを設けた電源コードを洗濯機本体の背面に取り付けた洗濯機に関するものである。
【０００２】
【従来の技術】
従来、この種の洗濯機においては、電源コードは、電源コードを包み込むように、電源コードが屈曲可能な蛇腹部を有するコードブッシングを一体形成し、このコードブッシングにて洗濯機の背面部に取り付け、その部分から電源コードは後方に突出していた。
【０００３】
【発明が解決しようとする課題】
このような従来の構成では、洗濯機本体の背面の電源コードを取り付けたコードブッシングが洗濯機本体より後方に突出しているため、洗濯機本体を設置するとき、洗濯機本体の背面に壁などが近接している場合に、コードブッシングが壁に衝突し、電源コードが衝撃で破損、断線するという問題を有していた。
【０００４】
また、電源コードが壁と接触して洗濯機を使用していると、洗濯機本体の振動により徐々に電源コードの表面が摩耗するという問題を有していた。
【０００５】
本発明は上記課題を解決するもので、洗濯機本体の背面に壁などが近接している場合でも、電源コードの破損、断線や振動による表面の摩耗などを防止することを目的としている。
【０００６】
【課題を解決するための手段】
本発明は上記目的を達成するために、電源コードを包み込むように一体形成し電源コードが屈曲可能な蛇腹部を有するコードブッシングを洗濯機本体の背面より突出させて電源コードを洗濯機本体に取り付けるように構成し、電源コードの取付部の上方近傍に上下方向に貫通するリング部を有するコードガイドを設け、電源コードがコードガイドのリング部を下方から上方に向けて貫通するように構成するとともに、前記コースガイドは、前記リング部の後方側の下端部分を前記電源コードのコードブッシングの位置まで垂下することで前記電源コードの屈曲部分を後方より覆うように構成したものである。
【０００７】
これにより、洗濯機本体の背面に壁などが近接している場合でも、洗濯機設置時に、コードガイドによって電源コードが後方の壁などに直接接触しないようにして保護することができ、電源コードの破損、断線や振動による表面の摩耗などを防止することができる。
【０００８】
【発明の実施の形態】
本発明の請求項１に記載の発明は、電源コードを包み込むように一体形成し電源コードが屈曲可能な蛇腹部を有するコードブッシングを洗濯機本体の背面より突出させて電源コードを洗濯機本体に取り付けるように構成した洗濯機であって、前記電源コードの取付部の上方近傍に上下方向に貫通するリング部を有するコードガイドを設け、前記電源コードが前記コードガイドのリング部を下方から上方に向けて貫通するように構成するとともに、前記コースガイドは、前記リング部の後方側の下端部分を前記電源コードのコードブッシングの位置まで垂下することで前記電源コードの屈曲部分を後方より覆うように構成したものであり、洗濯機設置時に後面の壁等に当たっても、コードガイドが先に壁等に当たるため、電源コード大きな力が加わらないようにできて保護することができ、さらに、電源コードを直角方向に曲げるために後方へ膨らんだ場合でも、コードガイドよりも後方に出ることがないようにでき、確実に壁等への接触を防止することができるので、電源コードの破損、断線や振動による表面の摩耗などを防止することができる。
【０００９】
請求項２に記載の発明は、上記請求項１に記載の発明において、コードガイドのリング部は、洗濯機本体に取り付ける取付部の近傍に切欠部を設け、前記切欠部に電源コードを通すことで、前記電源コードが前記リング部を下方から上方に向けて貫通するように構成したものであり、電源コードをコードガイドに貫通するとき、プラグの先端部から通す必要がなくなり、電源コードを切欠部に通すだけでよく、電源コードをコードガイドに容易に貫通することができ、このとき、切欠部の寸法を電源コードのコード径よりもわずかに小さくすることにより、電源コードがコードガイドから外れることもない。また、切欠部を洗濯機本体に取り付ける取付部の近傍に切欠部を設けることにより、電源コードが持つ弾性力で電源コードが切欠部と反対側に寄るために外れにくくすることができる。
【００１０】
請求項３に記載の発明は、上記請求項２に記載の発明において、コードガイドのリング部は、弾性的に変形可能とし、切欠部の一端が他端まで弾性変形するよう構成したものであり、万一、コードガイドが壁等に強く当接しても、変形して切欠部の一端が、他端に当たり、電源コードを保護することができる。
【００１１】

【実施例】
以下、本発明の実施例について、図面を参照しながら説明する。
【００１２】
（実施例１）
図１に示すように、洗濯機本体１は、後面に電源コード２をコードブッシング３により固定している。コードブッシング３は、電源コード２を包み込むように一体形成し、電源コード２が屈曲可能な蛇腹部を有するものである。洗濯機本体１の電源コード２の取付部４の上方近傍に、コードガイド５を取り付け、電源コード２は取付部４から上方に直角に曲げて、コードガイド５のリング部６を貫通している。
【００１３】
コードガイド５は、図２に示すように、リング部６を設けたベース部７の一端に爪８を設け、他端にＵ字型部９を設けている。洗濯機本体１に設けた角穴１０にコードガイド５の爪８を差し込み、さらに洗濯機本体１に設けた角穴１１にコードガイド４の他端に設けたＵ字型部９を差し込むことにより、Ｕ字型部９の段１２が角穴１１に係止されて固定される。
【００１４】
この状態で、コードガイド５は洗濯機本体１の背面より高さＨだけ突出しており、洗濯機を設置する場合に壁等からはこの高さＨだけの隙間を確保することができる。電源コード２はコードガイド５のリング部６を通して使用することで、壁等に直接接触することなく、電源コード２が固定される。
【００１５】
したがって、洗濯機設置時に後面の壁等に当たっても、コードガイド５が先に壁等に当たるため、電源コード２に大きな力が加わらないようにできて、保護することができ、電源コード２の破損、断線や振動による表面の摩耗などを防止することができる。
【００１６】
（実施例２）
図３に示すように、コードガイド１３は、リング部１４を設けたベース部１５の一端に爪１６を設け、他端にＵ字型部１７を設けている。洗濯機本体１に設けた角穴１０にコードガイド１３の爪１６を差し込み、さらに洗濯機本体１に設けた角穴１１にコードガイド１３の他端に設けたＵ字型部１７を差し込むことにより、Ｕ字型部１７の段１８が角穴１１に係止されて固定される。
【００１７】
リング部１４のＵ字型部１７に近い部分に切欠部１９を設け、その切欠部１９から電源コード２を通すようにしている。このとき、切欠部１９の寸法ｄは電源コード２のコード径よりもわずかに小さくしている。
【００１８】
また、コードガイド１３は、ゴムまたはポリプロピレンなどの熱可塑性樹脂で形成し、十分な弾性と強度を有し、弾性的に変形可能とし、切欠部１９の一端１９ａが他端１９ｂまで弾性変形するよう構成している。
【００１９】
上記構成において、電源コード２をリング部１４に通すとき、切欠部１９から電源コード２を通すことにより、電源コード２をコードガイド１３に貫通させることができ、プラグ先端部から通す必要がなく、使用勝手を向上することができる。
【００２０】
また、切欠部１９の寸法ｄは電源コード２のコード径よりもわずかに小さくしているので、リング部１４より電源コード２が外れることがない。
【００２１】
また、洗濯機本体１を設置するとき、壁等にこのコードガイド１３の先端部２０が当たった場合には、図４に示すように、先端部２０が洗濯機本体１の背面側に押されて変形し、さらに、切欠部１９と反対側のベース１５部分を支点にたわみ、切欠部１９は寸法的に小さくなり、しまいには切欠部１９が当接し、電源コード２は、図５に示すように、コードガイド１３のリング部１４を通し、上方に直角に引き出され、リング部１４内から外れることはなく、確実にリング部１４内に位置することができ、電源コード２を保護することができる。
【００２２】
（実施例３）
図６に示すように、コードガイド２１は、先端部２２を電源コード２の屈曲部分２３の位置まで垂下している。他の構成は上記実施例１または２と同じである。
【００２３】
上記構成において、コードガイド２１の先端部２２を電源コード２の屈曲部分２３の位置まで垂下することにより、先端部２２により電源コード２を保護することができ、電源コード２の壁への接触を確実になくすることができる。
【００２４】
すなわち、電源コード２をコードガイド２１のリング部を通し、上方に直角に引き出すと、電源コード２の屈曲部分２３が外方向に膨らみやすく、壁などに当たってしまう場合があるので、コードガイド２１のリング部の先端部２２を電源コードの屈曲部分２３まで垂下させたことで、確実に電源コード２を壁に当たらないように保護することができる。
【００２５】
特に、この屈曲部分２３は外方向に膨らむ力が強いので、壁に当たると洗濯機の使用時に発生する振動等により、電源コード２が摩耗、破損を起こすまで容易に至ってしまうことがあるが、垂下部分で確実に保護することで、洗濯機の使用時に発生する振動等により、電源コード２が壁に接触して破損、摩耗等による危険性を防止することができる。
【００２６】
【発明の効果】
以上のように本発明の請求項１に記載の発明によれば、電源コードを包み込むように一体形成し電源コードが屈曲可能な蛇腹部を有するコードブッシングを洗濯機本体の背面より突出させて電源コードを洗濯機本体に取り付けるように構成した洗濯機であって、前記電源コードの取付部の上方近傍に上下方向に貫通するリング部を有するコードガイドを設け、前記電源コードが前記コードガイドのリング部を下方から上方に向けて貫通するように構成するとともに、前記コースガイドは、前記リング部の後方側の下端部分を前記電源コードのコードブッシングの位置まで垂下することで前記電源コードの屈曲部分を後方より覆うように構成したから、洗濯機設置時に後面の壁等に当たっても、コードガイドが先に壁等に当たるため、電源コード大きな力が加わらないようにできて保護することができ、さらに、電源コードを直角方向に曲げるために後方へ膨らんだ場合でも、コードガイドよりも後方に出ることがないようにでき、確実に壁等への接触を防止することができるので、電源コードの破損、断線や振動による表面の摩耗などを防止することができる。
【００２７】
また、請求項２に記載の発明によれば、コードガイドのリング部は、洗濯機本体に取り付ける取付部の近傍に切欠部を設け、前記切欠部に電源コードを通すことで、前記電源コードが前記リング部を下方から上方に向けて貫通するように構成したから、電源コードをコードガイドに貫通するとき、プラグの先端部から通す必要がなくなり、電源コードを切欠部に通すだけでよく、電源コードをコードガイドに容易に貫通することができ、組立作業性を向上することができる。
【００２８】
また、請求項３に記載の発明によれば、コードガイドのリング部は、弾性的に変形可能とし、切欠部の一端が他端まで弾性変形するよう構成したから、万一、コードガイドが壁等に強く当接しても、変形して切欠部の一端が、他端に当たり、確実に電源コードの壁などへの接触を防止することができ、電源コードを保護することができる。
【図面の簡単な説明】
【図１】  本発明の第１の実施例の洗濯機の斜視図
【図２】  同洗濯機の要部分解斜視図
【図３】  本発明の第２の実施例の洗濯機の要部分解斜視図
【図４】  同洗濯機のコードガイドが壁に当たった状態の要部横断面図
【図５】  同洗濯機のコードガイドが壁に当たった状態の要部縦断面図
【図６】  本発明の第３の実施例の洗濯機の要部縦断面図
【符号の説明】
１  洗濯機本体
２  電源コード
３  コードブシング
４  取付部
５  コードガイド
【図１】
0003972515.tif 000002
【図２】
0003972515.tif 000003
【図３】
0003972515.tif 000004
【図４】
0003972515.tif 000005
【図５】
0003972515.tif 000006
【図６】
0003972515.tif 000007